(57)【要約】【課題】取手を開閉してもパッキンの位置ずれがなく、確実な防水・防塵性能を維持することができるクランプ式の鎖錠装置を提供する。【解決手段】本体１とこの本体１に軸支され開閉操作によってフック５に締付け動作を行わせる取手７とを備えたクランプ式の鎖錠装置であって、本体１と取手７との間に、枠状パッキン１５を設けたものである。枠状パッキン１５を取手７に嵌め込み位置ずれを防止したもので、ストッパ１７を付けた構造とすることが好ましい。取手７を閉じれば枠状パッキン１５は本体１の開口部１３の周囲をシールし、確実な防水・防塵性能が得られる。【選択図】    図４
2005002697.tif 000002
【特許請求の範囲】
【請求項１】
本体とこの本体に軸支され開閉操作によってフックに締付け動作を行わせる取手との間に、枠状パッキンを設けたことを特徴とするクランプ式の鎖錠装置。
【請求項２】
枠状パッキンを、ストッパ付きのものとした請求項１に記載のクランプ式の鎖錠装置。
【請求項３】
枠状パッキンを、枠状部と、取手を保持するストッパとを備えたものとした請求項２に記載のクランプ式の鎖錠装置。
【請求項４】
ストッパを、四角筒状とした請求項３に記載のクランプ式の鎖錠装置。
【請求項５】
枠状パッキンが、取手の軸を挿入するための貫通孔を備えたものである請求項３に記載のクランプ式の鎖錠装置。
【発明の詳細な説明】
【０００１】
【発明の属する技術分野】
本発明は、電気機器収納用箱などの扉に取付けられるクランプ式の鎖錠装置に関するものである。
【０００２】
【従来の技術】
【特許文献１】特開平８−２５３１号公報
【特許文献２】特開２００１−２３４６５８号公報
【０００３】
電気機器収納用箱などの扉の鎖錠装置としては、特許文献１に示されるような取手回転型の平面ハンドルと呼ばれる装置が広く用いられている。この形式の鎖錠装置においては、取手は扉に取付けられる本体に対して回転するだけであるから、取手の回転軸と本体との間にリング状のパッキンを設けることにより、確実に防水・防塵効果を発揮することができる。
【０００４】
しかし特許文献２に示されるようなクランプ式の鎖錠装置は、本体下部に軸支した取手を扉面に対して垂直方向に開閉することにより、リンクを介して開放動作及び締付け動作を行わせる形式であるため、取手を開閉する際には本体に対して取手がスライドする。よって従来のようにパッキンを設けることはできなかった。このため、特許文献２に示されるように箱のパッキン部より外側に配設せざるを得ず、左右扉のように箱のパッキン部より内側に鎖錠装置を設けるタイプの電気機器収納用箱では、クランプ式の鎖錠装置は使用できなかった。
【０００５】
【発明が解決しようとする課題】
本発明は上記した従来の問題点を解決し、確実な防水・防塵性能を維持することができるクランプ式の鎖錠装置を提供するためになされたものである。
【０００６】
【課題を解決するための手段】
上記の課題を解決するためになされた本発明のクランプ式の鎖錠装置は、本体とこの本体に軸支され開閉操作によってフックに締付け動作を行わせる取手との間に、枠状パッキンを設けたことを特徴とするものである。なお枠状パッキンを、ストッパ付きのものとすることが好ましく、枠状パッキンが、枠状部と取手を保持するストッパとを備えたものであることが好ましい。さらにストッパを四角筒状とすることが好ましく、また枠状パッキンが取手の軸を挿入するための貫通孔を備えたものであることが好ましい。
【０００７】
本発明のクランプ式の鎖錠装置は、本体と取手との間に枠状パッキンを設けたものであるので、取手を開閉させても枠状パッキンがずれることがなく、取手を閉じた状態では本体に形成されたハンドル動作用の開口部を全周にわたり確実にシールすることができ、常に安定した防水・防塵性能を発揮することができる。
【０００８】
【発明の実施の形態】
以下に本発明の好ましい実施形態を説明する。
図１は本発明の実施形態を示す斜視図、図２は取手を開いた状態を示す正面図、図３は分解斜視図、図４は取手を閉じた状態の断面図、図５は取手を開いた状態の断面図である。
【０００９】
これらの図において１は中空の本体であり、その中央部には取手７のための開口部１３が形成されている。図２に示すように、この本体１は電気機器収納用箱などの扉２の外面に取付けられるものである。扉２の内側に位置する本体１の下部には、２個の軸受３、４が突設されている。先端側の軸受３には、Ｌ型のフック５が軸６により軸支されている。取手７は開口部１３に収納されるもので、その先端部には下方に延びる腕部８が突設されており、この腕部８の下端が本体１の中央側の軸受４に軸９により軸支されている。図４の状態ではフック５は図示しない箱本体側の金具をクランプし、扉を開けないように鎖錠する。また、図５はフック５が開かれた状態を示している。
【００１０】
取手７の腕部８の軸９よりも更に先端側には、軸１０によりリンク１１の一端が軸支されており、このリンク１１の他端はフック５の屈曲部に軸１２により軸支されている。これにより、軸６と軸９を固定連結点とし、軸１０と軸１２を可動連結点とする４バーリンク機構が構成される。このリンク機構は、図５のように取手７を開けばフック５の先端を下方に開き、図４のように取手７を閉じるとフック５の先端を上方に移動させてフック５に締付け動作を行わせる。以上の構造は従来のクランプ式の鎖錠装置と同様である。
【００１１】
前記したように、本体１の上面には取手７を挿入できる開口部１３が形成されており、その周囲には図６のＢ―Ｂ断面図及びＣ―Ｃ断面図に示されるように、取手７の側面と密着できる垂直平面部１４が形成されている。従ってこの本体１の開口部１３の周囲を取手７によりシールすることにより、防水・防塵効果が得られることとなる。
【００１２】
そこでこの実施形態では、図７に示すようなシール用突状２０を備えた枠状パッキン１５を装着して本体１の開口部１３の周囲をシールする。この枠状パッキン１５は四角形の枠状部１６と、取手７の腕部８の周囲を保持する四角筒状のストッパ１７とを、ゴムにより一体成形したものである。枠状部１６の先端１８は袋状となって図４に示すように取手７の先端が嵌め込まれている。また枠状部１６の後端１９は肉厚に成形し、その下面にシール用突状２０が突設されている。
【００１３】
ストッパ１７の下部には、取手７の腕部８を本体１に軸支している軸９を挿入するための貫通孔２１が形成されている。また四角筒状のストッパ１７の外側面には、シール用突状２２がＶ字状に形成されている。このシール用突状２２は取手７を閉じたときに変形して枠状パッキン１５のシール効果を高めるものであるが、本体１と面ではなく線で接触するので、取手７の開閉動作を軽くすることができる。
【００１４】
この枠状パッキン１５は、図４，図５に示されるように取手７の腕部８に下側から嵌め込まれ、貫通孔２１に軸９を挿入して組み立てることにより、取手７と一体化されている。このため、図５のように取手７を持ち上げても枠状パッキン１５は常に取手７と一緒に動き、その位置がずれることはない。そこで図４のように取手７を閉じれば、取手７の下面により枠状パッキン１５の枠状部１６は本体１に向かって押圧され、図６に示したように本体１の開口部１３の周囲は確実にシールされる。
【００１５】
このように構成された本発明のクランプ式の鎖錠装置は、取手７を開閉することによりリンク機構を介してフック５に締付け動作を行わせ、扉を鎖錠することは従来と同様である。しかし本体１と取手７との間に、ストッパ１７付きの枠状パッキン１５を設けたので、従来のように取手７の開閉操作によってパッキンがずれることもなく、取手７を閉じた状態では本体１の開口部１３の周囲を確実にシールし、完全な防水・防塵効果を得ることができる。
【００１６】
なお、この実施形態ではストッパ１７を環状で長方形状のものとしたが、取手７を閉じるときに枠状パッキン１５の位置決めができるものであれば、ストッパ１７の断面形状は任意であり、例えば断面がコの字状のものとしてもよい。また、この実施形態ではストッパ１７の外側面にシール用突状２２を形成し、本体１の開口部１３の内側面と接触させて補助的なシールを行わせている。しかし、ストッパ１７の内側面に位置ずれ防止用の突状を形成するとともに、取手７の腕部８の対応する部分に溝を形成して突状を嵌め込めば、ストッパ１７と腕部８との位置ずれをより確実に防止することができる。
【００１７】
また、上記の実施形態ではストッパ１７付きの枠状パッキン１５を取手７側に取付けたが、ストッパの構造を変えて四角筒状のストッパ１７の内側面にシール用突状２０を設けて、枠状パッキン１５を本体１側に固定してもよく、さらにストッパ１７の外側面に位置ずれ防止用の突状を設けて、本体１の開口部１３の内側面の対応する部分に溝を形成して嵌め込めば、ストッパ１７と本体１との位置ずれをより確実に防止することができる。
【００１８】
【発明の効果】
以上に説明したように、本発明のクランプ式の鎖錠装置は本体と取手との間に枠状パッキンを設けたものであるから、取手を閉じた状態において本体の開口部を確実にシールすることができる。特に実施形態に示した構造のストッパ付きの枠状パッキンを用いれば、取手を開閉した際にも枠状パッキンの位置がずれることがなく、組み立てが簡単なうえに取手と枠状パッキンとの一体化を図ることができ、確実な位置決め効果を得ることができる。
【図面の簡単な説明】
【図１】本発明の実施形態の鎖錠装置を示す斜視図である。
【図２】取手を開いた状態を示す正面図である。
【図３】本発明の実施形態の鎖錠装置を示す分解斜視図である。
【図４】取手を閉じた状態の断面図である。
【図５】取手を開いた状態の断面図である。
【図６】取手を閉じた状態の各部の断面図である。
【図７】ストッパ付きの枠状パッキンを示す斜視図であり、（Ａ）は上側から見た斜視図、（Ｂ）は下側から見た斜視図である。
【符号の説明】
１  本体
２  扉
３  軸受
４  軸受
５  フック
６  軸
７  取手
８  腕部
９  軸
１０  軸
１１  リンク
１２  軸
１３  開口部
１４  垂直平面部
１５  枠状パッキン
１６  枠状部
１７  ストッパ
１８  枠状部の先端
１９  枠状部の後端
２０  シール用突状
２１  貫通孔
２２  シール用突状
【図１】
2005002697.tif 000003
【図２】
2005002697.tif 000004
【図３】
2005002697.tif 000005
【図４】
2005002697.tif 000006
【図５】
2005002697.tif 000007
【図６】
2005002697.tif 000008
【図７】
2005002697.tif 000009